(57)【要約】      （修正有）【課題】ラベルの発行番号と内蔵された時計ＩＣの日時とが登録番号に関連付けられてラベルの発行履歴情報を記憶するラベルプリンターを提供する。【解決手段】発行日時が設定された日にちが経過するまでは、ラベルが発行される毎に時計ＩＣで計時された発行日時と発行番号が登録番号と関連付けられて、ＲＡＭにラベルの発行履歴テーブルとして展開される。ステップＳ６で設定された所定の日時を経過した場合は、発行番号を０００１にリセットされ（ステップＳ７）、ラベルが発行される（ステップＳ８）。【選択図】図３
2014030929.tif 000002
【特許請求の範囲】
【請求項１】
ラベルに印字する印字部と、該ラベルの発行枚数を入力する入力手段と、前記ラベルに印字する印字データに対応する登録番号の入力手段とを備えたラベルプリンターであって、
日時を計時する内蔵時計と、該内蔵時計が所定の日時を経過すると前記ラベルの発行番号をリセットする所定の日時を設定する日時設定手段とを備えていることを特徴とするラベルプリンター。
【請求項２】
前記日時設定手段によって設定される日時内に、前記ラベルが発行される発行枚数を前記登録番号に関連付けて記憶させる記憶手段とを備えていることを特徴とする請求項１に記載のラベルプリンター。
【請求項３】
前記ラベルが発行される時は、前記内蔵時計の日時と前記ラベルが発行される発行番号とをディジタルコードにエンコードして前記ラベルに印字させていることを特徴とする請求項１に記載のラベルプリンター。
【発明の詳細な説明】
【技術分野】
【０００１】
本発明は、内蔵された時計ＩＣの日時に関連付けてラベルを発行するラベルプリンターに関するものである。
【背景技術】
【０００２】
従来、発行されるラベルに連番印字を行う連番印字機能を有するプリンタ装置が知られている（特許文献１参照）。このプリンタ装置は、始めに入力した枚数分の連番印字が終了し、枚数追加や印字不良などによる再発行を必要とした場合、連番を継続するか否かの選択可能な入力キーが設けられている。
【０００３】
たとえば、スーパー等で商品陳列棚或いはバスケット内に複数の商品が山積みされている場合、見込みで商品の数量よりも若干少なめにラベル印字を行い、連番印字が終了した際に、連番を継続するか否かの選択可能な入力キーを連番を継続に設定して、不足分の商品数だけ連番継続によるラベルを追加発行することにより、商品数と同数の連番印字を施したラベルを発行している。
【０００４】
また、印字データを連番として印字する連番印字機能を備えたラベルプリンタが知られている（特許文献２参照）。このラベルプリンタは、同一の印字データに基づいて印字を一旦終了しても、前記の連番が保持されているため、再起動しても前回の連番を継続して印字している。
【先行技術文献】
【特許文献】
【０００５】
【特許文献１】特開２００２−３０７７８４号公報
【特許文献２】特開２０１０−１０５１９８号公報
【発明の概要】
【発明が解決しようとする課題】
【０００６】
しかしながら、特許文献１に記載のプリンタ装置または特許文献２に記載のラベルプリンタは、ラベルの発行時間に関連付けられて連番が印字されているものではなかったため、いつ発行されたものであるのか分からなかった。したがって、販売した商品などを商品回収する場合など、販売時間で追跡することができないという問題があった。
【０００７】
本発明は、上記問題に鑑みてなされたものであって、ラベルの発行番号と内蔵された時計ＩＣの日時とが登録番号に関連付けられてラベルの発行履歴情報を記憶するラベルプリンターに関するものである。
【課題を解決するための手段】
【０００８】
上記の課題を解決するために請求項１に記載のラベルプリンターは、ラベルに印字する印字部と、該ラベルの発行枚数を入力する入力手段と、前記ラベルに印字する印字データに対応する登録番号の入力手段とを備えたラベルプリンターであって、日時を計時する内蔵時計と、該内蔵時計が所定の日時を経過すると前記ラベルの発行番号をリセットする所定の日時を設定する日時設定手段とを備えているものである。
【０００９】
また、上記の課題を解決するために請求項２に記載のラベルプリンターは、前記日時設定手段によって設定される日時内に、前記ラベルが発行される発行枚数を前記登録番号に関連付けて記憶させる記憶手段とを備えているものである。
【００１０】
また、上記の課題を解決するために請求項３に記載のラベルプリンターは、前記ラベルが発行される時は、前記内蔵時計の日時と前記ラベルが発行される発行番号とをディジタルコードにエンコードして前記ラベルに印字させているものである。
【発明の効果】
【００１１】
請求項１に記載のラベルプリンターは、ラベルに印字する印字部と、該ラベルの発行枚数を入力する入力手段と、前記ラベルに印字する印字データに対応する登録番号の入力手段とを備えたラベルプリンターであって、日時を計時する内蔵時計と、該内蔵時計が所定の日時を経過すると前記ラベルの発行番号をリセットする所定の日時を設定する日時設定手段とを備えているので、設定された所定の日時内に同じラベルが何枚発行されたかが容易にわかる。
【００１２】
また、請求項２に記載のラベルプリンターは、前記日時設定手段によって設定される日時内に、前記ラベルが発行される発行枚数を前記登録番号に関連付けて記憶させる記憶手段とを備えているので、同じラベルがいつ何枚発行されたかが容易にわかる。
【００１３】
また、請求項３に記載のラベルプリンターは、前記ラベルが発行される時は、前記内蔵時計の日時と前記ラベルが発行される発行番号とをディジタルコードにエンコードして前記ラベルに印字させているので、発行されたラベルのディジタルコードの付帯文字を見ることによって、同じラベルがいつ何枚発行されたかが容易にわかる。
【図面の簡単な説明】
【００１４】
【図１】本発明に係るラベルプリンターの概略構成図である。
【図２】本発明に係るラベルプリンターの制御部の構成を示すブロック図である。
【図３】本発明に係るラベルプリンターでラベルを発行するまでの動作を示すフローチャートである。
【図４】本発明に係るラベルプリンターで発行されたラベルを示す図である。
【図５】本発明に係るラベルプリンターで発行されたラベルの発行履歴テーブルを示す図である。
【発明を実施するための形態】
【００１５】
以下の実施例にて、本発明に係るラベルプリンターにおいて、ラベルが剥離発行された場合について詳細に説明する。なお、本発明に係るラベルプリンターについては、実施例の詳細な説明だけに限定されるものではなく、本発明の要旨を逸脱しない範囲で適宜変更可能である。
【実施例】
【００１６】
図１は、本発明に係るラベルプリンターの概略構成図である。図１において、ロール紙２は、帯状の台紙２ｂに一定の間隔をおいてラベル２ａが仮着されてロール状に巻回されている。このロール紙２は、ラベルプリンター１の上流側に設けられた収納部（図示されていない）に装着される。また、サーマルヘッド３とプラテンローラー４とでロール紙２を挟持してラベル２ａに印字しながら下流側にラベル２ａが発行される。このように、サーマルヘッド３とプラテンローラー４とで印字部が構成されている。
【００１７】
印字部の下流側に剥離板５が配設され、ラベル２ａが剥離された台紙２ｂが剥離板５によって鋭角に転向される。すると、ラベル２ａの腰の強さによって台紙２ｂからラベル２ａが剥離し、ラベル２ａの後端の一部が剥離板５に残るようにして停止し、大部分が取り出し易いように剥離した状態になっている。一方、印字部の下方には、剥離ローラー６とピンチローラー７とが配設され、剥離板５で転向された台紙２ｂが剥離ローラー６とピンチローラー７とで挟持され下方にフィードされる。また、ロール紙２を収納する収納部と印字部との間にロール紙２が弛まないように上方から張設するようにガイドローラー８が配設されている。
【００１８】
プラテンローラー４と剥離ローラー６の一側には、それぞれプラテンローラー用ギア４ａ（２点鎖線で示されている）と剥離ローラー用ギア６ａ（２点鎖線で示されている）が設けられ、それぞれ駆動ギア９（２点鎖線で示されている）と歯合している。この駆動ギア９は、ステッピングモーター５６によって正逆方向に回転駆動される。
【００１９】
図２は、本発明に係るラベルプリンターの制御部の構成を示すブロック図である。ラベルプリンター１は、制御部５０によって制御される。ここで、制御部５０について詳述する。制御部５０は、主としてＣＰＵ５１、ＲＯＭ５２、ＲＡＭ５３、フラッシュＲＯＭ５４、モーターコントローラー５５、印字コントローラー５７、センサーコントローラー５９、時計ＩＣ６１、外部インターフェース６２、インターフェース６３とで構成され、各部はバスライン５８を介してＣＰＵ５１に接続されている。
【００２０】
ＣＰＵ５１は、ＲＯＭ５２に記憶されているラベルプリンター１の各部を制御する制御プログラムや各種処理を行うためのアプリケーションプログラムによって、ラベルプリンター１の各部を制御したり各種処理を行ったりする。ＲＡＭ５３は、ＣＰＵ５１が各種処理を実行する上で必要となる各種データを一時的に記憶する。ホストコンピューター６４は、ラベル作成ソフトで後述する印字データ１１を作成し、外部インターフェース６２を介してＣＰＵ５１に供給し、バスライン５８を介してフラッシュＲＯＭ５４に記憶される。ここで、印字データ１１は、ラベルに印字したいレイアウト情報とレイアウトされた各フィールドに入力されたデータとを含んでいる。また、操作部６５で編集された印字データがインターフェース６３を介してＣＰＵ５１に供給され、バスライン５８を介してフラッシュＲＯＭ５４に記憶されるとともに、ＣＰＵ５１からバスライン５８を介して表示部６６に表示される。
【００２１】
印字コントローラー５７は、フラッシュＲＯＭ５４に記憶された印字データ１１に対応して制御信号を生成し、サーマルヘッド３に供給することによってラベル２ａに印字する。一方、モーターコントローラー５５は、パルス信号をステッピングモーター５６に供給してプラテンローラー４を正逆方向に回転させる。ここで、ステッピングモーター５６が正回転した場合は、駆動ギア９を介してプラテンローラー４が反時計方向に回転し、プラテンローラー４とサーマルヘッド３に挟持されたラベル２ａに印字されて下流側へ発行され、一方、ステッピングモーター５６が逆回転した場合は、駆動ギア９を介してプラテンローラー４が時計方向に逆回転し、次のラベル２ａの印字開始位置までロール紙２を発行方向と逆方向（上流側）にバックフィードさせる。
【００２２】
センサーコントローラー５９は、ラベル２ａのビッチを検出するピッチセンサー１０などの各種センサー６０からの検出信号をバスライン５８を介してＣＰＵ５１に供給し、ＣＰＵ５１はピッチ検出データなどに基づいて演算を行いラベル２ａの位置などを検出する。また、ラベルプリンター１に内蔵されている時計ＩＣ６１は、現在の日時を計時する。
【００２３】
次に、ラベルプリンター１でラベル２ａに印字データ１１が印字されて、ラベル２ａが発行される手順について図３に基づいて説明する。図３は、本発明に係るラベルプリンターでラベルを発行するまでの動作を示すフローチャートである。最初に、ホストコンピューター６４側で送信操作を行うと、作成した印字データ１１をラベルプリンター１が受信する（ステップＳ１）。すると、ラベルプリンター１のフラッシュＲＯＭ５４には、印字データ１１と登録番号が関連付けられて記憶される。
【００２４】
操作部６５でラベルに印字したい登録番号を入力する（ステップＳ２）。次に、操作部６５で発行したいラベル２ａの発行枚数を入力する（ステップＳ３）。続けて、所定の日時を経過したら発行するラベル２ａに関連付けられた発行番号をリセットする所定の日時設定を操作部６５で行う（ステップＳ４）。
【００２５】
操作部６５でラベル発行を行う操作をすると、登録番号に関連付けられた印字データ１１に対応するフォントデータをＲＯＭ５２から読み出して、ビットマップデータに変換してＲＡＭ５３に展開し、このビットマップデータが印字コントローラー５７で制御信号に生成され、サーマルヘッド３に供給されることによって入力した登録番号の印字データ１１がラベル２ａに印字されて発行される（ステップＳ５）。
【００２６】
図４は、本発明に係るラベルプリンターで発行されたラベルを示す図である。図４では、ラベル２ａを発行した発行日時と発行番号情報がＪＡＮ１３桁のバーコードで印字されている。ＪＡＮ１３桁の３と４桁目は日付けを、５と６桁目は月を、７と８桁目は西暦の下２桁を、９から１２桁目は発行番号を示している。また、年月日と発行番号情報は、テキスト情報としても印字されている。図４では、年月日と発行番号情報をＪＡＮ１３桁のバーコードおよびテキスト情報として示してあるが、年月日と発行番号情報をラベルに印字しない場合でも、後述するラベルの発行履歴テーブル１２に記憶されている。また、発行番号は、入力された登録番号の最初の１枚目のラベル２ａにリセット状態の０００１番が関連付けられて記憶または印字され、順次連番で同様に記憶または印字される。
【００２７】
次に、ラベル２ａが発行された発行日時が設定された所定の日時を経過したかどうかの判断をする（ステップＳ６）。図５に基づいて、詳細に説明する。図５は、本発明に係るラベルプリンターで発行されたラベルの発行履歴テーブルを示す図である。また、図５は、設定された所定の日時を日にちに設定した場合について示している。すなわち、発行日時が設定された日にちが経過するまでは、ラベル２ａが発行される毎に時計ＩＣ６１で計時された発行日時と発行番号が登録番号に関連付けられて、ＲＡＭ５３にラベルの発行履歴テーブル１２として展開される。ここでは、設定された所定の日時を日にちに設定した場合について示しているが、適宜、時間または月などにも設定することができる。
【００２８】
ラベルの発行履歴テーブル１２には、時間毎に発行された発行枚数が記憶される。ここでは、時間毎に発行枚数が記憶されているが、日にちごと、月毎、年毎などに応じて適宜記憶することができる。一方、ラベル２ａに印字するように設定されている場合は、図４のように発行日時と発行番号情報がラベル２ａに印字される。
【００２９】
設定された所定の日時内に同じ登録番号でラベル発行操作を繰り返す場合は、最後の発行番号が記憶され、次にラベル発行操作を行う時に最後の発行番号からの連番で次のラベル２ａに発行番号が関連付けられて記憶または印字される。ステップＳ６で設定された所定の日時を経過した場合は、発行番号を０００１にリセットされ（ステップＳ７）、ラベル２ａが発行される（ステップＳ８）。ここでは、設定された所定の日時を日にちに設定しているので、日付けが替わったら発行番号がリセットされる。一方、設定された所定の日時を経過していない場合は、前の発行番号からの連番で（ステップＳ９）関連付けられて記憶または印字されラベル２ａが発行される（ステップＳ８）。
【００３０】
次に、ラベル発行が発行枚数に到達したかどうかの判断をする（ステップＳ１０）。発行枚数に到達した場合は、この登録番号のラベル発行を終了する。一方、発行枚数に到達しない場合は、ステップＳ６に戻り同様に処理される。
【００３１】
本実施例では、ロール紙２が装着されたラベルプリンターについて説明してあるが、ロール紙２に限定されるものはでなく、ジャーナル紙、ライナーレスラベル、シートまたはファンフォールドなどあらゆる用紙についても広く適用することができる。
【産業上の利用可能性】
【００３２】
近年、安心安全が厳しく要求される社会にあって、ほとんどの商品、特に生鮮食品などにトレーサビリティ情報を含んだラベルが貼付されて店舗に陳列されている。特に、時間情報を含んだラベルを貼付することによって、最終需要者に行き渡っても、その後に製品の販売時期などが略特定できるので、このようなラベルを印字できるラベルプリンターが広く普及している。また、生鮮食品以外にも、いろいろな物品にラベルを貼付するのに広くラベルプリンターが利用されている。
【符号の説明】
【００３３】
１    ラベルプリンター
２    ロール紙
２ａ    ラベル
２ｂ    台紙
３    サーマルヘッド
４    プラテンローラー
４ａ    プラテンローラー用ギア
５    剥離板
６    剥離ローラー
６ａ    剥離ローラー用ギア
７    ピンチローラー
８    ガイドローラー
９    駆動ギア
１０    ピッチセンサー
１１    印字データ
１２    発行履歴テーブル
５０    制御部
５１    ＣＰＵ
５２    ＲＯＭ
５３    ＲＡＭ
５４    フラッシュＲＯＭ
５５    モーターコントローラー
５６    ステッピングモーター
５７    印字コントローラー
５８    バスライン
５９    センサーコントローラー
６０    各種センサー
６１    時計ＩＣ
６２    外部インターフェース
６３    インターフェース
６４    ホストコンピューター
６５    操作部
６６    表示部
【図１】
2014030929.tif 000003
【図２】
2014030929.tif 000004
【図３】
2014030929.tif 000005
【図４】
2014030929.tif 000006
【図５】
2014030929.tif 000007
【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
ラベルに印字する印字部と、該ラベルの発行枚数を入力する入力手段と、前記ラベルに印字する印字データに対応する登録番号の入力手段とを備えたラベルプリンターであって、
日時を計時する内蔵時計と、該内蔵時計が所定の日時を経過すると前記ラベルが発行されるごとに関連付けられて順次連番で印字される発行番号をリセットする所定の日時を設定する日時設定手段とを備えていることを特徴とするラベルプリンター。
【請求項２】
前記日時設定手段によって設定される日時内に、前記ラベルが順次連番で印字されて発行される発行枚数を前記登録番号に関連付けて記憶させる記憶手段とを備えていることを特徴とする請求項１に記載のラベルプリンター。
【請求項３】
前記ラベルが発行される時は、前記内蔵時計の日時と前記ラベルが順次連番で印字されて発行される発行番号とをディジタルコードにエンコードして前記ラベルに印字させていることを特徴とする請求項１に記載のラベルプリンター。
【手続補正２】
【補正対象書類名】明細書
【補正対象項目名】０００８
【補正方法】変更
【補正の内容】
【０００８】
上記の課題を解決するために請求項１に記載のラベルプリンターは、ラベルに印字する印字部と、該ラベルの発行枚数を入力する入力手段と、前記ラベルに印字する印字データに対応する登録番号の入力手段とを備えたラベルプリンターであって、日時を計時する内蔵時計と、該内蔵時計が所定の日時を経過すると前記ラベルが発行されるごとに関連付けられて順次連番で印字される発行番号をリセットする所定の日時を設定する日時設定手段とを備えているものである。
【手続補正３】
【補正対象書類名】明細書
【補正対象項目名】０００９
【補正方法】変更
【補正の内容】
【０００９】
また、上記の課題を解決するために請求項２に記載のラベルプリンターは、前記日時設定手段によって設定される日時内に、前記ラベルが順次連番で印字されて発行される発行枚数を前記登録番号に関連付けて記憶させる記憶手段とを備えているものである。
【手続補正４】
【補正対象書類名】明細書
【補正対象項目名】００１０
【補正方法】変更
【補正の内容】
【００１０】
また、上記の課題を解決するために請求項３に記載のラベルプリンターは、前記ラベルが発行される時は、前記内蔵時計の日時と前記ラベルが順次連番で印字されて発行される発行番号とをディジタルコードにエンコードして前記ラベルに印字させているものである。
【手続補正５】
【補正対象書類名】明細書
【補正対象項目名】００１１
【補正方法】変更
【補正の内容】
【００１１】
請求項１に記載のラベルプリンターは、ラベルに印字する印字部と、該ラベルの発行枚数を入力する入力手段と、前記ラベルに印字する印字データに対応する登録番号の入力手段とを備えたラベルプリンターであって、日時を計時する内蔵時計と、該内蔵時計が所定の日時を経過すると前記ラベルが発行されるごとに関連付けられて順次連番で印字される発行番号をリセットする所定の日時を設定する日時設定手段とを備えているので、設定された所定の日時内に同じラベルが何枚発行されたかが容易にわかる。
【手続補正６】
【補正対象書類名】明細書
【補正対象項目名】００１２
【補正方法】変更
【補正の内容】
【００１２】
また、請求項２に記載のラベルプリンターは、前記日時設定手段によって設定される日時内に、前記ラベルが順次連番で印字されて発行される発行枚数を前記登録番号に関連付けて記憶させる記憶手段とを備えているので、同じラベルがいつ何枚発行されたかが容易にわかる。
ルが何枚発行されたかが容易にわかる。
【手続補正７】
【補正対象書類名】明細書
【補正対象項目名】００１３
【補正方法】変更
【補正の内容】
【００１３】
また、請求項３に記載のラベルプリンターは、前記ラベルが発行される時は、前記内蔵時計の日時と前記ラベルが順次連番で印字されて発行される発行番号とをディジタルコードにエンコードして前記ラベルに印字させているので、発行されたラベルのディジタルコードの付帯文字を見ることによって、同じラベルがいつ何枚発行されたかが容易にわかる。